(57)【要約】【課題】携帯電話等の電子機器を軽量化すること。【解決手段】携帯電話１は、筺体の一部を構成するバッテリリッド１６が、樹脂材料と多孔質構造体との二色成形により形成され、かつ、その比重が１より小さい。樹脂材料は、ＡＢＳ樹脂又はＰＣ樹脂であり、多孔質構造体は、当該構造体全体に２０μｍ〜５０μｍの径を有する球状又は楕円球状の空洞が多数形成され、各々の空洞の隔壁に、５μｍ〜１０μｍの孔が１箇所以上開いており、この孔によって空洞同士が連通されている。【選択図】図４
2015027057.tif 000002
【特許請求の範囲】
【請求項１】
筺体の少なくとも一部が、樹脂材料と多孔質材料との二色成形により形成される二色成形体であって比重が１より小さい二色成形体で構成される電子機器。
【請求項２】
前記樹脂材料が前記筺体の外側部分を構成し、前記多孔質材料が前記筺体の内側部分を構成する
請求項１に記載の電子機器。
【請求項３】
前記筺体の少なくとも一部は、前記樹脂材料で構成されると共に前記筺体の外側部分から前記筺体の内側に向かって突出する突出部を備え、
前記筺体の内側には、前記突出部が係合する被係合部が設けられている
請求項２に記載の電子機器。
【請求項４】
前記電子機器は、前記筺体及び前記筺体内に収容される物体から構成され、
当該電子機器の比重は、１より小さい
請求項１乃至請求項３のいずれか一項に記載の電子機器。
【請求項５】
前記筺体内に収容される物体は、前記筺体の内部空間に充填される気体であって比重が１より小さい気体を含む
請求項４に記載の電子機器。
【請求項６】
樹脂材料と多孔質材料との二色成形により形成される二色成形体であって、比重が１より小さい二色成形体。
【発明の詳細な説明】
【技術分野】
【０００１】
本発明は、携帯電話等の電子機器に関する。
【背景技術】
【０００２】
近年、携帯電話、タブレット、デジタルカメラ又はノートパソコン等に代表される電子機器が広く知られている。このような電子機器では、例えばユーザが当該電子機器を把持した際の取り扱いのし易さを目的として、軽量化のための工夫がなされている。特許文献１には、電子機器の筺体の一部を繊維強化プラスチックによって形成することで電子機器を軽量化した発明が開示されている。
【先行技術文献】
【特許文献】
【０００３】
【特許文献１】特開２００１−１８９７８６号公報
【発明の概要】
【発明が解決しようとする課題】
【０００４】
携帯電話等の電子機器においては、さらなる軽量化が求められている。
【課題を解決するための手段】
【０００５】
一つの態様に係る電子機器は、筺体の少なくとも一部が、樹脂材料と多孔質材料との二色成形により形成される二色成形体であって比重が１より小さい二色成形体で構成される。
【発明の効果】
【０００６】
本発明によれば、携帯電話等の電子機器を軽量化することができる。
【図面の簡単な説明】
【０００７】
【図１】携帯電話１の正面側斜視図である。
【図２】携帯電話１の背面側斜視図である。
【図３】携帯電話１を背面側から視た分解斜視図である。
【図４】バッテリリッド１６の断面図である。
【図５】携帯電話１の内部空間Ｓを示す模式図である。
【発明を実施するための形態】
【０００８】
以下、本発明の実施形態について、図面を参照しながら説明する。図１は、本発明の一実施形態に係る携帯電話１の正面側斜視図である。図２は、携帯電話１の背面側斜視図である。図３は、携帯電話１を背面側から視た分解斜視図である。
【０００９】
携帯電話１は、ケース１０を備える。図１乃至図３に示すように、ケース１０は、表示部１１、バッテリ１５、スピーカ４０、アンテナ４１及びカメラ４２その他種々の電子部品或いは携帯電話１を構成する部材を収容する。表示部１１は、ケース１０の正面側に配置される。携帯電話１の背面側において、ケース１０に対してバッテリリッド１６が取り付けられる。ケース１０及びバッテリリッド１６は、本発明における筺体を構成する。
【００１０】
図３に示すように、バッテリリッド１６には、放音孔１７及び開口部１８が形成されている。放音孔１７は、スピーカ４０から発せられる音を携帯電話１の外部に放音させる。スピーカ４０は、それ自体が防水性を有するスピーカである。ケース１０におけるスピーカ４０の周囲の領域には、不図示の防水両面テープが配置される。バッテリリッド１６がケース１０に取り付けられると、バッテリリッド１６の内面とケース１０におけるスピーカ４０の周囲の領域とが防水両面テープによって接着され、携帯電話１の内部に水が浸入することが抑制される。開口部１８は、カメラ４２を携帯電話１の外部に露出させる。ケース１０におけるカメラ４２の周囲の領域には、不図示の防水両面テープが配置される。バッテリリッド１６がケース１０に取り付けられると、バッテリリッド１６の内面とケース１０におけるカメラ４２の周囲の領域とが防水両面テープによって接着され、携帯電話１の内部に水が浸入することが抑制される。
【００１１】
また、図３に示すように、ケース１０における短手方向の両端部近傍であって、ケース１０における長手方向の中央部近傍には、凹部１０ａが形成されている。凹部１０ａは、本発明における被係合部の例である。ケース１０にバッテリリッド１６が取り付けられると、後述するバッテリリッドのリブと凹部１０ａとが係合し、ケース１０とバッテリリッド１６とが相互に固定される。
【００１２】
次に、図４を用いて、本実施形態のバッテリリッド１６について説明する。図４は、図３におけるバッテリリッド１６のＩＶ−ＩＶ断面図である。
【００１３】
バッテリリッド１６は、第１部分１６１と、第２部分１６２とを有する。第１部分１６１は、バッテリリッド１６がケース１０に取り付けられた状態で、携帯電話１の外部に露出する部分である。すなわち、第１部分１６１は、ケース１０及びバッテリリッド１６から成る携帯電話１の筺体の外表面の一部を構成する。第１部分１６１は、例えばＡＢＳ樹脂又はＰＣ（ポリカーボネート）樹脂によって形成される。第２部分１６２は、バッテリリッド１６がケース１０に取り付けられた状態で、携帯電話１の内部側に位置する部分である。第２部分１６２は、多孔質構造体によって形成される。第２部分１６２については、後に詳述する。
【００１４】
また、バッテリリッド１６には、パッキン３０が配置される。パッキン３０は、バッテリリッド１６の外周部に沿って配置される。パッキン３０は、例えばシリコーンから形成される。パッキン３０は、ケース１０にバッテリリッド１６が取り付けられた際、ケース１０とのバッテリリッド１６との間で押圧され、ケース１０とバッテリリッド１６との隙間から水が浸入することを抑制する。
【００１５】
バッテリリッド１６の第２部分１６２について説明する。第２部分１６２を構成する多孔質構造体は、例えば、ペンタエリスリトール、ポリブチレンテレフタレート樹脂、並びに常温で液体の多官能アルコール、ポリエチレングリコール、及びポリプロプレングリコールの中から選択される１種以上のアルコールからなる射出成形品を作り、この成形品を水に浸して成形品中の水溶性成分を水に溶解させることで、成形品にガス透過性を有する多孔質が形成されて製造されたものである。このようにして製造された多孔質構造体は、当該構造体全体に２０μｍ〜５０μｍの径を有する球状又は楕円球状の空洞が多数形成され、各々の空洞の隔壁に、５μｍ〜１０μｍの孔が１箇所以上開いており、この孔によって空洞同士が連通されている。この多孔質構造体は、連続の気泡型の構造体であり、空気は通過させるが水は通過させない性質を有する。この多孔質構造体は、上記成形品の原材料の配合質量比を調整することで、比重を０．５以下とすることができる。多孔質構造体の詳細については、例えば日本国公開特許公報２０１１年第００１５４４公報を参照されたい。
【００１６】
そして、バッテリリッド１６は、第１部分１６１と第２部分１６２との二色成形により製造される。具体的には、第１部分１６１を構成する樹脂の一例であるＰＣ樹脂の融点は約２５０度であり、第２部分１６２を構成する多孔質構造体は約２２０度の射出成形温度で成形されるため、一次工程として不図示の金型内にＰＣ樹脂を射出成形し、その後二次工程として多孔質構造体を構成する上記の有機材料を金型内に射出成形する。
【００１７】
ＰＣ樹脂の比重は約１．１〜１．３であり、多孔質構造体の比重は約０．５であることから、両者の重量比を適宜調整することで、二色成形により得られるバッテリリッド１６は、その比重を１より小さくすることができる。
【００１８】
バッテリリッド１６は、ＡＢＳ樹脂又はＰＣ樹脂で形成される第１部分１６１が携帯電話１の外側に位置する部分となり、かつ多孔質構造体で形成される第２部分１６２が携帯電話１の内側に位置する部分となる。ここで、第１部分１６１を形成するＡＢＳ樹脂又はＰＣ樹脂は、第２部分１６２を形成する多孔質構造体に比して、曲げ剛性及び強度が大きい。したがって、ＡＢＳ樹脂又はＰＣ樹脂で形成される部分が携帯電話１の内側に、多孔質構造体で形成される部分が携帯電話１の外側にそれぞれ位置する場合と比較して、携帯電話１の強度を確保することができる。例えば、携帯電話１に外力が作用した場合にバッテリリッド１６を破損しにくくすることができる。
【００１９】
また、多孔質構造体は、上述したように、球状又は楕円球状の空洞が多数形成される構造である。したがって、多孔質構造体により形成される部分によって携帯電話１の外観を構成した場合、バッテリリッド１６の表面に施した塗装の剥がれが発生しやすい。これと比較して、ＡＢＳ樹脂又はＰＣ樹脂で形成される部分で携帯電話１の外観を構成した場合、塗装の剥がれは発生しにくくなる。
【００２０】
図４を用いたバッテリリッド１６の説明を続ける。図４に示すように、バッテリリッド１６は、リブ１６１ａを備える。リブ１６１ａは、本発明における突出部の例である。リブ１６１ａは、第１部分１６１と同様に、例えばＡＢＳ樹脂又はＰＣ樹脂によって形成される。リブ１６１ａは、第１部分１６１を射出成形する際、略平板状である第１部分１６１から突出するように設けられる。リブ１６１ａは、ケース１０及びバッテリリッド１６により構成される携帯電話１の筺体の内部方向に第１部分１６１から突出する。リブ１６１ａは、ケース１０にバッテリリッド１６が取り付けられた状態で、ケース１０に形成された凹部１０ａと係合する。当該係合によって、ケース１０とバッテリリッド１６とが相互に固定される。
【００２１】
リブ１６１ａは、ケース１０及びバッテリリッド１６により構成される携帯電話１の筺体の内部側に位置する部分であるが、筺体の内部側に位置する第２部分１６２のように多孔質構造体により形成されるのではなく、第１部分１６１と同様に例えばＡＢＳ樹脂又はＰＣ樹脂によって形成される。これは、ＡＢＳ樹脂或いはＰＣ樹脂から成る第１部分１６１が、多孔質構造体１６２から成る第２部分に比して強度が大きいためである。すなわち、ケース１０の凹部１０ａに係合するバッテリリッド１６のリブをＡＢＳ樹脂又はＰＣ樹脂によって形成することで、リブを多孔質構造体によって形成した場合と比較して、携帯電話１に外力が作用した場合にリブ１６１ａを破損しにくくすることができる。
【００２２】
そして、ケース１０及びバッテリリッド１６により構成される筺体、並びに当該筺体に収容される表示部１１、バッテリ１５、パッキン３０、スピーカ４０、アンテナ４１及びカメラ４２等の種々の部材の大きさ、材料が適宜選択されることで、携帯電話１は、当該携帯電話１全体の比重が１より小さくなる。携帯電話１の比重が１より小さくなると、携帯電話１は、水に浮く。これにより、例えばユーザが携帯電話１を川や海に落下させたとしても、携帯電話１は水中に沈まないため、携帯電話１を紛失する可能性を低減することができる。
【００２３】
携帯電話１の比重を１より小さくするためには、上述した筺体及び筺体内に収容される部材の比重の他、筺体内に存在する気体の比重も考慮すると良い。これについて図５を用いて説明する。図５は、携帯電話１の内部空間Ｓを示す模式図である。図５に示すように、携帯電話１の内部空間Ｓは、パッキン３０によって気密性が保たれている。そして、内部空間Ｓには、比重が１より小さい気体が充填されている。比重が１より小さい気体は、例えば、ヘリウム（比重約０．１３）又はメタン（比重約０．５５）等である。尚、携帯電話１には種々の電子部品が搭載されているため、充填される気体と電子部品との間で意図しない化学反応が起こらないようにするため、内部空間Ｓに充填される気体は、化学的に安定した性質を持つ希ガスであるヘリウムが好ましい。
【００２４】
以上の構成を有する携帯電話１は、筺体の一部を構成するバッテリリッド１６が、ＡＢＳ樹脂又はＰＣ樹脂と多孔質構造体との二色成形により形成され、当該バッテリリッド１６の比重が１より小さいため、ＡＢＳ樹脂又はＰＣ樹脂のみで同じ形状のバッテリリッド１６を形成する場合と比較して、バッテリリッド１６を軽量化することができる。この結果、携帯電話１を軽量化することができる。
【００２５】
また、携帯電話１は、ＡＢＳ樹脂又はＰＣ樹脂で形成される第１部分１６１が携帯電話１の外側に位置する部分となり、かつ多孔質構造体で形成される第２部分１６２が携帯電話１の内側に位置する部分となる。多孔質構造体に比して曲げ剛性及び強度が大きいＡＢＳ樹脂又はＰＣ樹脂で形成される部分が携帯電話１の外側に、多孔質構造体で形成される部分が携帯電話１の内側に配置されるため、携帯電話１に外力が作用した場合にバッテリリッド１６を破損しにくくすることができる。また、バッテリリッド１６の表面に施した塗装の剥がれを発生しにくくすることができる。
【００２６】
また、携帯電話１は、ＡＢＳ樹脂又はＰＣ樹脂により形成されると共に第１部分１６１から筺体内部側に突出するリブ１６１ａを備える。これにより、リブを多孔質構造体によって形成した場合と比較して、携帯電話１に外力が作用した場合にリブ１６１ａが破損しにくくなる。
【００２７】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、上述の実施形態では、バッテリリッド１６が樹脂材料と多孔質構造体との二色成形体によって構成されるとして説明したが、バッテリリッド１６だけでなくケース１０も二色成形体で形成されていてよい。
【符号の説明】
【００２８】
１        携帯電話
１０      ケース
１０ａ    凹部
１６      バッテリリッド
１６１    第１部分
１６１ａ  リブ
１６２    第２部分
【図１】
2015027057.tif 000003
【図２】
2015027057.tif 000004
【図３】
2015027057.tif 000005
【図４】
2015027057.tif 000006
【図５】
2015027057.tif 000007